(57)【要約】      （修正有）【課題】口腔内の清掃効果とともに毛束の抗菌・防臭効果を高めることができ、衛生的な状態を保つことができる歯ブラシを提供する。【解決手段】ヘッド部２の植毛面２ａに複数の毛束５が植設されている歯ブラシ１であって、毛束５が、先端に向けて径が細くなるテーパー部６ａを有するテーパー毛６で構成され、これらテーパー毛６に竹炭粉が含まれている。竹炭粉の粒径が０．００１μｍから１μｍであり、０．１重量％から１０重量％の範囲でテーパー毛に含有されていることが好ましい。【選択図】図１
0003209630.tif 000002
【実用新案登録請求の範囲】
【請求項１】
ヘッド部の植毛面に複数の毛束が植設されている歯ブラシであって、
前記毛束が、先端に向けて径が細くなるテーパー部を有する複数のテーパー毛で構成され、これらテーパー毛に竹炭粉が含まれていることを特徴とする歯ブラシ。
【請求項２】
前記テーパー部の割合が前記テーパー毛の先端から１／３の長さであることを特徴とする請求項１記載の歯ブラシ。
【請求項３】
前記竹炭粉の粒径が０．００１μｍから１μｍであることを特徴とする請求項１又は請求項２記載の歯ブラシ。
【請求項４】
前記竹炭粉が０．１重量％から１０重量％の範囲で前記テーパー毛に含有されていることを特徴とする請求項１〜３のいずれかの項に記載の歯ブラシ。
【考案の詳細な説明】
【技術分野】
【０００１】
本考案は歯ブラシに関し、より詳細には口腔内の清掃効果と毛束の抗菌・防臭効果を高めることができる歯ブラシに関する。
【背景技術】
【０００２】
口腔内の清掃を行うための歯ブラシは、一般的にヘッド部の植毛面に複数の毛束が植設された構成となっている。歯ブラシによる口腔内の清掃効果を高めるために、前記植毛面に設けられる植毛穴の配置や大きさ、前記毛束を構成する刷毛の断面形状、先端形状、材質などに特徴を持たせた歯ブラシが種々提案されている。
【０００３】
例えば、下記の特許文献１には、先端がテーパー状に加工された毛束を備えた歯ブラシが開示されている。具体的には、一端側がテーパー状で他端側が非テーパー状の毛を折り曲げた状態で束ねられた毛束を備えた歯ブラシや、両端部がテーパー状の毛を折り曲げた状態で束ねられた毛束を備えた歯ブラシが開示されている。
【０００４】
先端がテーパー状の毛束を備えた歯ブラシは、非テーパー状の毛束を備えた歯ブラシと比べて、毛束の先端が歯間に進入しやすいため歯垢の除去効果が高く、また、歯茎の損傷を防止する効果を有すると言われている。
【０００５】
［考案が解決しようとする課題］
しかしながら、特許文献１記載の歯ブラシでは、前記毛束に抗菌作用や防臭作用が付与されておらず、前記歯ブラシを衛生的に保つことが難しいという課題があった。
【先行技術文献】
【特許文献】
【０００６】
【特許文献１】特許第５１３７４７１号公報
【考案の概要】
【課題を解決するための手段及びその効果】
【０００７】
本考案は上記課題に鑑みなされたものであって、口腔内の清掃効果とともに毛束の抗菌・防臭効果を高めることができ、衛生的な状態を保つことができる歯ブラシを提供することを目的としている。
【０００８】
上記目的を達成するために本考案に係る歯ブラシ（１）は、ヘッド部の植毛面に複数の毛束が植設されている歯ブラシであって、前記毛束が、先端に向けて径が細くなるテーパー部を有する複数のテーパー毛で構成され、これらテーパー毛に竹炭粉が含まれていることを特徴としている。
【０００９】
上記歯ブラシ（１）によれば、前記毛束が、先端に向けて径が細くなるテーパー部を有する複数のテーパー毛で構成されているため、前記毛束の先端が先鋭化（先細化）されていることにより、歯間部や歯頸部を良好に清掃できる。また、前記テーパー毛に前記竹炭粉が含まれているので、前記竹炭粉が有する抗菌作用や防臭作用により前記毛束や該毛束の植設部分の雑菌抑制効果や防臭効果を高めることができ、前記歯ブラシを衛生的な状態に保つことができる。
【００１０】
また本考案に係る歯ブラシ（２）は、上記歯ブラシ（１）において、前記テーパー部の割合が前記テーパー毛の先端から１／３の長さであることを特徴としている。
【００１１】
上記歯ブラシ（２）によれば、前記テーパー部の割合が前記テーパー毛の先端から１／３の長さであるので、歯間部や歯頸部を良好に清掃できるとともに、良好な刷掃感や使用感を得ることができる。
【００１２】
また本考案に係る歯ブラシ（３）は、上記歯ブラシ（１）又は（２）において、前記竹炭粉の粒径が０．００１μｍから１μｍであることを特徴としている。
【００１３】
上記歯ブラシ（３）によれば、前記竹炭粉の粒径が０．００１μｍから１μｍのナノメートル（ｎｍ）オーダーの大きさ（ナノ粒子）であるので、前記竹炭粉の表面積を極めて大きくすることができ、前記竹炭粉が有する抗菌作用や防臭作用による前記毛束や該毛束の植設部分の雑菌抑制効果や防臭効果をより一層高めることができる。
【００１４】
また本考案に係る歯ブラシ（４）は、上記歯ブラシ（１）〜（３）のいずれかにおいて、前記竹炭粉が０．５重量％から１０重量％の範囲で前記テーパー毛に含有されていることを特徴としている。
【００１５】
上記歯ブラシ（４）によれば、前記竹炭粉が０．５重量％から１０重量％の範囲で前記テーパー毛に含有されているので、前記竹炭粉が有する抗菌作用や防臭作用による前記毛束や該毛束の植設部分の雑菌抑制効果や防臭効果を良好に発揮させることができる。
【図面の簡単な説明】
【００１６】
【図１】本考案の実施の形態に係る歯ブラシを示した部分側面図である。
【図２】実施の形態に係る歯ブラシの毛束を構成するテーパー毛の側面図及び部分拡大断面図である。
【考案を実施するための形態】
【００１７】
以下、本考案に係る歯ブラシの実施の形態を図面に基づいて説明する。なお、本考案は、以下の実施の形態に限定されるものではなく、実施の形態において開示される各構成部品の形状や材質などは、望ましい一例を示すに過ぎず、その他の形状や材質等も同様の作用を有する限り、本考案の技術的範囲に属する。
【００１８】
図１は、実施の形態に係る歯ブラシを示した部分側面図である。図２は、実施の形態に係る歯ブラシの毛束を構成するテーパー毛の側面図及び部分拡大断面図である。
【００１９】
歯ブラシ１は、ヘッド部２と、ヘッド部２から延設されたネック部３と、ネック部３から延設されたハンドル部４とを備えている。歯ブラシ１は、ヘッド部２とネック部３とハンドル部４とが一体成形された構成に限定されるものではなく、ヘッド部２及びネック部３と、ハンドル部４とが着脱可能な構成としてもよい。
【００２０】
ヘッド部２とネック部３とハンドル部４とは、例えば、硬質樹脂材料で成形されている。
硬質樹脂材料には、例えば、ポリプロピレン（ＰＰ）、ポリエチレン（ＰＥ）、ポリエチレンテレフタレート（ＰＥＴ）、ポリシクロヘキシレンジメチレンテレフタレート（ＰＣＴ）、ポリブチレンテレフタレート（ＰＢＴ）、ポリアセタール（ＰＯＭ）、ポリスチレン（ＰＳ）、ポリウレタン、ポリアミド、アクリロニトリル・ブタジエン・スチレン樹脂（ＡＢＳ）などの熱可塑性樹脂材料を挙げることができるが、これらの材料に必ずしも限定されるものではない。また、ハンドル部４には、例えばエラストマーなどの柔軟な樹脂が部分的又は全体に被覆されていてもよい。
【００２１】
ハンドル部４は、使用者が把持する部分であり、略棒状に成形されている。ネック部３は、ハンドル部４とヘッド部２とを連結する部分であり、ハンドル部４からヘッド部２に向けて括れた形状に成形されている。
【００２２】
ヘッド部２は、口腔内に進入させる部分であり、口腔内を清掃しやすい形状や大きさであればよく、例えば、幅が１０ｍｍ〜１５ｍｍ、厚さが３ｍｍ〜８ｍｍ程度とすることが好ましい。ヘッド部２の上面は植毛面２ａとなっており、植毛面２ａには、毛束５を植設するための複数の植毛穴２ｂが、ヘッド部２の長さ方向と幅方向とに列をなして、例えば、格子状や千鳥状に所定の間隔で形成されている。植毛穴２ｂの配置や間隔、それらの組み合わせ等については、特に限定されるものではなく、使用感、刷掃感、清掃効果、耐久性などを考慮して、任意に変更することができる。
【００２３】
各植毛穴２ｂには毛束５が植設されている。毛束５を構成する各刷毛には、図２に示すようにテーパー毛６が用いられている。テーパー毛６は、先端に向けて漸次径が細くなるテーパー部６ａを有している。本実施の形態では、両端にテーパー部６ａが形成されたテーパー毛６を二つ折りにして用いている。テーパー毛６により歯間部や歯茎部などに対する毛先進入性を向上させることが可能となっている。また、テーパー部６ａの割合はテーパー毛６の先端から１／３以内の長さであることが好ましい。係る割合にすることにより、歯間部や歯頸部を良好に清掃できるとともに、良好な刷掃感や使用感を得ることができる。
【００２４】
また、テーパー毛６には、図２に示すように竹炭粉７が含まれている。竹炭粉７は、孟宗竹、淡竹、真竹、苦竹、黒竹、金明孟宗竹、布袋竹、唐竹などの竹類を焼いて炭化（黒炭化又は白炭化）させて微粉砕したものである。竹炭粉７には、低温度炭（４００〜６００℃前後で炭焼きしたもの）、中温度炭（７００〜１０００℃で炭焼きしたもの）、高温度炭（１０００℃以上で炭焼きしたもの）を用いることができるが、中温度炭及び／又は高温度炭を用いることがより好ましい。特に抗菌・防臭効果（吸着作用）を高めるために中温度炭を用いることが好ましい。
【００２５】
竹炭粉７の粒度は特に限定されないが、平均粒子径で、０．００１μｍ〜１０μｍ、好ましくは０．００１μｍ〜１μｍ以下、より好ましくは、０．００１μｍ〜０．０１μｍのナノオーダー（ナノ粒子）の竹炭粉７を用いることが好ましい。特に竹炭粉７に前記ナノオーダーの竹炭粒子を含むことが好ましい。粒度が小さい方が、テーパー毛６を構成する樹脂材料とのなじみや分散性がよくなるとともに、竹炭粉７の表面積を増やすことができる。竹炭粉７には、食品添加物用の竹炭粉を用いてもよい。竹炭粉７の一部がテーパー毛６の表面に露出した状態となっている。竹炭粉７には、無数の孔が形成されており、臭い物質等を吸着する防臭機能を有し、また、抗菌力を有する珪酸が含まれており、雑菌の増殖を抑制するとともに、雑菌の増殖による臭気を抑制する機能を有している。また、竹炭粉７は、マイナスイオンを発生する機能を有し、プラスに帯電している口腔内の物質（歯垢など）を中和することにより清掃効果を高める機能を有している。
【００２６】
テーパー毛６を構成する樹脂材料は、特に限定されるものではなく、例えば、ポリアミド（例：６−１２ナイロン、６−１０ナイロン等）、ポリエステル（例：ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等）、ポリオレフィン（例：ポリプロピレン（ＰＰ）等）、エラストマー（例：オレフィン系、スチレン系など）などの各種合成樹脂材料を用いることができる。また、これら樹脂材料を複数組み合わせて用いてもよく、例えば芯鞘構造（多重芯構造）などのように、芯部と鞘部とで異なる樹脂材料（ポリエステルなど）を用いてもよい。
【００２７】
これら樹脂材料に対して竹炭粉７が所定量添加されて練り込まれて刷毛（フィラメント）が形成される。竹炭粉７の添加量は、竹炭粉による抗菌・防臭効果が得られる添加量であれば特に限定されないが、テーパー毛６の強度や耐久性などの特性を考慮して適宜設定されている。例えば、樹脂材料に対し、０．１〜１０重量％、好ましくは、０．５〜５重量％程度、より好ましくは、０．８〜１．２重量％程度含有することが好ましい。上記含有量とすることにより、竹炭粉７が有する抗菌作用や防臭作用による毛束５や植毛穴２ｂ部分の雑菌抑制効果や防臭効果を良好に発揮させることが可能となり、また、竹炭粉７を含有するフィラメントの成形も良好に行うことができる。
【００２８】
テーパー毛５の製造方法は特に限定されないが、例えば、所定の長さにカットされた刷毛（竹炭粉７を含有するフィラメント）を処理剤（例えば、アルカリ性加水分解処理剤など）に浸漬し溶解させることで両毛先にテーパー部６ａを形成することができ、また、表面に竹炭粉７の一部を露出させることもできる。また、前記処理剤に浸漬する毛先の長さや処理時間などを調整することにより、毛先のテーパー部６ａの長さや太さ（細さ）を調整することができる。また、テーパー毛６の一端と他端でテーパー部６ａの長さや太さを変えてもよい。
【００２９】
毛束５（テーパー毛６を二つ折りにしたもの）の長さは、ヘッド部２の植毛面２ａから、例えば、大人用で８ｍｍ〜１３ｍｍ、子供用で６ｍｍ〜９ｍｍとすることが好ましい。テーパー毛６の太さ（最大径）は、口腔内での使用感の観点から、０．１２ｍｍ〜０．２６ｍｍであることが好ましい。また、使用感、刷掃感、清掃効果、耐久性などを考慮して、太さの異なるテーパー毛６を任意に組み合わせたり、植毛穴２ｂの位置に応じてテーパー毛６の太さを変えてもよい。
【００３０】
また、テーパー毛６の横断面形状は円形が好ましいが、必ずしも円形に限定されるものではない。歯ブラシ１の目的用途に応じて、例えば、楕円形、多角形（例えば、三角形、四角形、五角形、六角形など。）異形（例えば、星形、三つ葉のクローバー形、四つ葉のクローバー形）などの任意の横断面形状とすることができる。さらに、テーパー毛６は、スパイラル状のものや、エンボス加工が施されたものであってもよい。
【００３１】
また、各毛束５は、通常は複数本のテーパー毛６を略円形状に束ねたものを用いるが、略円形状に束ねたものに限定されるものではない。例えば、略三角形や略四角形などの多角形状に束ねてもよく、さらに、略楕円状や、略長円状、略長方形状など長径と短径が異なる形状に束ねたものを用いてもよい。
【００３２】
また、植毛穴２ｂの横断面形状は、上記テーパー毛６を複数束ねた毛束５の形状に合わせて通常は円形であるが、これに限定されるものではなく、上記テーパー毛６を束ねた毛束５の形状に合わせて任意の形状とすることができる。
【００３３】
各毛束５は、上述したテーパー毛６を複数本束ねて二つ折りにし、その間に平線８（図２参照）と呼ばれる抜止め具を挟んで植毛穴２ｂに打ち込むことによって、ヘッド部２の各植毛穴２ｂに植設されている。二つ折りにしたテーパー毛６の両先端の高さを揃えることが好ましいが、意図的に両先端の高さをずらした状態に二つ折りしてもよい。上記毛束５を構成するテーパー毛６は、両端が先細化されたものを二つ折りにしたものであるが、毛束５の構成はこれに限定されるものではない。別の実施の形態では、一端側のみにテーパ−部を有する複数のテーパー毛の他端側を束ねて、該他端側を植毛穴２ｂに植設するようにしてもよい。
【００３４】
平線８は、植毛穴２ｂの中心部を通り、且つ、植毛穴２ｂを跨ぐように植毛穴２ｂに打設されている。平線８の材質には、例えば、真鍮やステンレスなどの金属を挙げることができるが、その他にも硬質プラスチックや生分解性プラスチックなどであってもよい。平線８は、その長さが植毛穴２ｂの直径よりも大きく、その幅が植毛穴２ｂの深さよりも小さい形状となっている。また、平線８の長さや幅、厚みについては、毛束５や植毛穴２ｂのサイズに合わせて任意に調整すればよい。なお、毛束５を植毛穴２ｂに植設する方法は、平線８を植毛穴２ｂに打設する方法に限定されるものではなく、毛束５を熱融着等の方法により植毛穴２ｂに植設してもよい。
【００３５】
上記実施の形態に係る歯ブラシ１によれば、毛束５が、両端にテーパー部６ａを有するテーパー毛６を二つ折りにして束ねられたものであるため、毛束５（各テーパー毛６）の先端がテーパー部６ａにより先鋭化（先細化）されていることにより、歯間部や歯頸部を良好に清掃できる。また、テーパー毛６の全体に竹炭粉７が略均一に分散した状態で含まれているので、竹炭粉７が有する抗菌作用や防臭作用により毛束５や植毛穴２ｂの雑菌抑制効果や防臭効果を高めることができ、歯ブラシ１を衛生的な状態で保つことができる。
【００３６】
また、歯ブラシ１によれば、テーパー毛６に練り込まれている竹炭粉７がナノ粒子（ナノメートル（ｎｍ）オーダーの大きさの粒子）であるので、竹炭粉７の表面積を極めて大きくすることができ、竹炭粉７が有する抗菌作用や防臭作用による毛束５や植毛穴２ｂの雑菌抑制効果や防臭効果をより一層高めることができ、歯ブラシ１を衛生的な状態で長期間保つことができる。
【００３７】
なお、本考案は、上記歯ブラシ１に適用したものに限らず、電気的に駆動される電動歯ブラシやその取替用ブラシなどにも適用可能である。また、本考案は、上記歯ブラシ１のような口腔用のブラシに限らず、ヘッド部２の植毛面２ａに複数の毛束５が植設されてなるブラシに対して幅広く適用することが可能である。
【符号の説明】
【００３８】
１  歯ブラシ
２  ヘッド部
２ａ  植毛面
２ｂ  植毛穴
３  ネック部
４  ハンドル部
５  毛束
６  テーパー毛
６ａ  テーパー部
７  竹炭粒
【図１】
0003209630.tif 000003
【図２】
0003209630.tif 000004